(57)【特許請求の範囲】
【請求項１】
一般式（Ｉ）：
【化１】
0004108985.tif 000011
［式中、Ｘ１およびＸ２は水素原子または−ＳＯ３Ｍ（式中、Ｍは水素原子またはアルカリ金属原子を示す）を示し（但し、Ｘ１およびＸ２の少なくとも一方は−ＳＯ３Ｍを示す）、Ｒｆはパーフルオロヘキセニル基またはパーフルオロノネニル基を示す］
で表される含フッ素硫酸エステル系界面活性剤。
【発明の詳細な説明】
【０００１】
【発明の属する技術分野】
本発明は、繊維、金属および樹脂等の表面改質剤、フッ素系高分子の乳化重合用乳化剤、帯電防止剤並びに分散剤等として有用な新規な含フッ素硫酸エステル系界面活性剤に関する。
【０００２】
【従来の技術】
含フッ素陰イオン界面活性剤はフッ素系高分子の乳化重合用乳化剤、インキのしみ防止剤および帯電防止剤等として従来から用いられてきた。この種の界面活性剤としては、例えば、ヘキサフルオロプロペンを原料とするものが知られている（特開昭５７−１６４１９９号公報参照）。この界面活性剤は、ヘキササフルオロプロペンのダイマーまたはトリマーを三級アミンの存在下でフェノールと反応させて得られる生成物をスルホン化し、次いでスルホン化物を中和することによって調製される。しかしながら、この種の含フッ素陰イオン界面活性剤の場合には、分子中にスルホン基が１個しか存在しないことに起因して、水に対する溶解性が不十分なために、水性系の一般的な乳化剤、分散剤およびフッ素系高分子の乳化重合用乳化剤等としての使用に限界があるという問題があった。
【０００３】
【発明が解決しようとする課題】
本発明は、この種の含フッ素陰イオン界面活性剤の上記問題点を解決することによって、フッ素に特有の高界面活性を損なうことなく、水に対する溶解性が改良された含フッ素系界面活性剤であって、乳化剤、分散剤、表面改質剤、帯電防止剤、撥油剤および付着防止剤等として使用できるだけでなく、低重合度のフッ素系高分子の乳化重合用乳化剤、架橋剤および水に対するフッ素系試薬の可溶化剤等としても使用できる新規な含フッ素硫酸エステル系界面活性剤を提供するためになされたものである。
【０００４】
【課題を解決するための手段】
即ち本発明は、一般式（Ｉ）：
【化２】
0004108985.tif 000002
［式中、Ｘ１およびＸ２は水素原子または−ＳＯ３Ｍ（式中、Ｍは水素原子またはアルカリ金属原子を示す）を示し（但し、Ｘ１およびＸ２の少なくとも一方は−ＳＯ３Ｍを示す）、Ｒｆはパーフルオロヘキセニル基またはパーフルオロノネニル基を示す］
で表される含フッ素硫酸エステル系界面活性剤に関する。
【０００５】
【発明の実施の形態】
本発明による含フッ素硫酸エステル系界面活性剤の製造法は特に限定的ではないが、好適な製造法を以下に説明する。
先ず、ヘキサフルオロプロペンのダイマーまたはトリマーを、非水極性溶媒中において、塩基性触媒の存在下でソルケタールと反応させることによって、一般式（II）：
【化３】
0004108985.tif 000003
（式中、Ｒｆは前記と同意義である）
で表されるエーテル化合物を調製する。
【０００６】
上記反応で使用する非水極性溶媒としては、テトラヒドロフラン、ジメチルホルムアミド、ジオキサン、ジエチレングリコールジメチルエーテル、ジエチルエーテルおよびアセトニトリル等が例示されるが、特にアセトニトリルが好ましい。
【０００７】
また、上記反応で使用する塩基性触媒としては、苛性ソーダ、苛性カリ、炭酸ソーダ、炭酸カリおよびトリアルキルアミン等が例示されるが、特にトリエチルアミンおよび炭酸カリが好ましい。
【０００８】
さらに、上記反応におけるヘキサフルオロプロペンのダイマーまたはトリマーとソルケタールとの反応モル比は、通常、２：１〜１：１、好ましくは、１.２：１〜１.０５：１である。
なお、反応温度および反応時間は、通常、それぞれ２５〜４０℃および６〜２４時間である。
【０００９】
次いで、一般式（II）で表されるエーテル化合物を鉱酸、例えば、塩酸、硫酸、リン酸または硝酸（好ましくは、塩酸）の水溶液中で加水分解させることによって、一般式（III）：
【化４】
0004108985.tif 000004
（Ｒｆは前記と同意義である）
で表されるアルコール化合物を調製する。
なお、加水分解温度は、通常、５０〜１００℃である。
【００１０】
上記の加水分解によって得られるアルコール化合物（III）を発煙硫酸または無水硫酸等を用いる硫酸エステル化処理に付し、さらに所望により該硫酸エステル化物を適宜のアルカリ金属含有アルカリで中和することによって、一般式（Ｉ）で表される含フッ素硫酸エステル系界面活性剤が得られる。
【００１１】
なお、上記の硫酸エステル化処理温度は、通常、−５〜２０℃であり、また、該硫酸エステル化物のアルカリ中和温度は、通常、５〜２５℃である。
【００１２】
本発明による含フッ素硫酸エステル系界面活性剤（Ｉ）の上記製造法において用いるヘキサフルオロプロペンのダイマーおよびトリマーの代表的な化合物としては、次式（IV）および（Ｖ）で表される化合物が例示される。
【化５】
0004108985.tif 000005
【化６】
0004108985.tif 000006
【００１３】
このようなヘキサフルオロプロペンオリゴマーは、ソルケタール等のヒドロキシル化合物のヒドロキシル基と反応してエーテル結合を形成する（特開昭５２−４１１８２号公報参照）。
【００１４】
以下、本発明を実施例によって説明する。
実施例１
攪拌機、温度計、冷却管および滴下漏斗を備えた四つ口フラスコ（１０００ｍｌ）内にソルケタール１０２．９６ｇ（０．７８モル）、トリエチルアミン８６．６６ｇ（０．８５８モル）およびアセトニトリル３５０ｍｌを入れ、該フラスコ内を３０℃に保ちながら、該混合物中へヘキサフルオロプロペントリマー（Ｖ）３８６．１ｇ（０．８５８モル）を約３０分間かけて攪拌下で徐々に滴下した。滴下終了後、３０℃で攪拌をさらに８時間続行した。
反応混合物を分液漏斗に移した後、水４００ｍｌを用いる洗浄処理に３回付し、次いで０．１Ｎ塩酸２００ｍｌを用いる洗浄処理に２回付すことによって、粗製エーテル化合物（IIａ）を４２３.７ｇ得た。
【化７】
0004108985.tif 000007
【００１５】
攪拌機と溶媒留去装置を備えた四つ口フラスコ（５００ｍｌ）内へ上記の粗製エーテル化合物の全量を移し、０．５Ｎ塩酸５０ｍｌとメタノール１２０ｍｌを加えた後、加水分解によって生成するアセトンを留去させながら、加熱攪拌を４時間続行した。
次いで、メタノール１５ｍｌと水１５ｍｌを添加した後、加熱攪拌をさらに３時間続行した。反応混合物を分液漏斗に移した後、水２００ｍｌを用いる洗浄処理に１回付し、次いで１％炭酸水素ナトリウム水溶液２００ｍｌを用いる洗浄処理に１回付し、さらに水１５０ｍｌを用いる洗浄処理に２回付した後、残存する水をロータリーエバポレーターで留去することにより、アルコール化合物（IIIａ）を３７８ｇ得た。
【化８】
0004108985.tif 000008
【００１６】
上部に塩化カルシウム管を具有する等圧側管付き滴下漏斗および攪拌機を備えた四つ口フラスコ（５００ｍｌ）内にアルコール化合物（IIIａ）４６．８ｇ（０．０８９７モル）とジエチルエーテル１００ｍｌを入れ、この混合物中へ、氷水浴（０〜５℃）で冷却しながら、３０％発煙硫酸５２．６ｇ（ＳＯ３換算で０．１９７モル）を約３０分間かけて攪拌下で徐々に滴下した。滴下終了後、氷水浴を取り外し、得られた混合物を室温で１時間攪拌して硫酸エステル化をおこなった。
【００１７】
三角フラスコ（１リットル）内に水酸化ナトリウム３８ｇ（０．９７モル）と水３００ｍｌを加えて調製した水溶液中へ、氷水浴（０〜５℃）で冷却しながら、上記硫酸エステル化の反応混合物を約３０分間かけて攪拌下で徐々に滴下した。滴下終了後、得られた反応混合物に食塩を飽和量添加することによって、目的化合物（Ｉａ）を析出させた。
【化９】
0004108985.tif 000009
【００１８】
該析出物を吸引濾過によって濾取し、これを飽和食塩水２００ｍｌで２回洗浄した後、再び吸引濾過処理に付し、濾取物を減圧乾燥機内で乾燥させた。該乾燥固体をソックスレー抽出器内でのアセトン連続抽出処理に付し、抽出物をロータリーエバポレーターで乾固させることによって、精製化合物（Ｉａ）を３７ｇ得た。
化合物（Ｉａ）の物性を表１に示す。
【００１９】
【表１】
0004108985.tif 000010
【００２０】
【発明の効果】
本発明による含フッ素硫酸エステル系界面活性剤は、１分子中に含フッ素基と共に、スルホン基を２個まで有することができるので、フッ素に特有の高界面活性を損なうことなく、水に対して改良された溶解性を示すので、乳化剤、分散剤、表面改質剤、帯電防止剤、撥油剤および付着防止剤等として使用できるだけでなく、低重合度のフッ素系高分子の乳化重合用乳化剤、架橋剤および水に対するフッ素系試薬の可溶化剤等としても有用である。